(57)【特許請求の範囲】
【請求項１】
遊技球を払い出す払出手段と、遊技球貯留皿とを備えたパチンコ機において、
前記払出手段によって払い出された遊技球を貯留すると共に、遊技者が開閉操作可能なシャッター部材と該シャッター部材により開閉される下方に開口する球抜口とを備えた可動皿部材と、
パチンコ機本体に固定されており、該可動皿部材を上下方向にスライド可能に支持する皿本体と、
該可動皿部材を該皿本体に対して上方に向けて付勢して該可動皿部材に加わる遊技球の重さによって該可動部皿部材が該皿本体に対して下方へ変位することを許容する付勢手段と
を含んで前記遊技球貯留皿が構成されていることを特徴とするパチンコ機。
【発明の詳細な説明】
【技術分野】
【０００１】
本発明は、払出手段によって払い出された遊技球を貯留する遊技球貯留皿を備えたパチンコ機に関するものである。
【背景技術】
【０００２】
従来から、パチンコ機には、払出手段によって払い出された遊技球を貯留する遊技球貯留皿が設けられている。一般に、遊技球貯留皿には、貯留されている遊技球を排出するための球抜口が形成されていると共に、その球抜口を開閉するためのシャッター部材が設けられている（特許文献１参照）。このようなパチンコ機においては、遊技者がシャッター部材を開操作することで、球抜口が開放されて、遊技球貯留皿に貯留されている遊技球が球抜口から排出されるようになっている。
【０００３】
ところで、パチンコ機が遊技ホールの島設備に設置された状態では、島設備に設けられたテーブルと遊技球貯留皿との間には隙間が形成されるようになっており、かかる隙間には、遊技球を貯留するための球箱が置けるようになっている。そして、上述の如く、遊技者がシャッター部材を開操作することで、球抜口から排出された遊技球は、球抜口の下方に位置するようにしてテーブルの上に置かれた球箱に貯留されるようになっている。
【０００４】
そこにおいて、球箱が空になっている場合や球箱に貯留されている遊技球の数が少ない場合、球抜口から排出された遊技球の落下距離、即ち、球抜口から排出された遊技球が球箱や球箱に貯留されている遊技球に衝突するまでの距離が長くなってしまい、排出された遊技球が球箱や球箱に貯留された遊技球と衝突することによって発生する音が大きくなって、遊技者が不快に感じるという問題があった。また、球抜口から排出された遊技球が、球箱や球箱内に貯留された遊技球と衝突して飛び跳ねることにより、球箱の外にこぼれでるおそれもあった。
【０００５】
このような問題に対して、従来は、遊技者自身が遊技球貯留皿に貯留されている遊技球を手等で掬うことにより、遊技球を遊技球貯留皿から球箱へ移動させることで対処していた。しかしながら、このような対処の仕方では、その作業が非常に面倒であった。
【０００６】
なお、上述の如き問題に鑑み、例えば遊技球貯留皿において、球抜口が形成される底壁部を、充分に下方に位置設定することで、球抜口を球箱の底に近づけることも考えられる。しかしながら、パチンコ機本体や島設備の設計上の制約等から、遊技球貯留皿の位置を下方に設定することは難しい場合が多い。また、仮に遊技球貯留皿の位置を下方に設定可能であったとしても、球箱の上方直近に遊技球貯留皿の底壁部を位置させると、遊技者による球箱の扱いに支障が出る。即ち、球箱を遊技球貯留箱の下方に差し入れたり抜き出したりするに際して、球箱が遊技球貯留皿の底壁部等に引っ掛かり易くなり、遊技球をこぼしたり、パチンコ機や球箱が損傷してしまうおそれもある。
【０００７】
【特許文献１】特開２００４−１８０８９０号公報
【発明の開示】
【発明が解決しようとする課題】
【０００８】
ここにおいて、本発明は、上述の如き事情を背景として為されたものであって、その解決課題とするところは、遊技球貯留皿から排出された遊技球が球箱や球箱内に貯留された遊技球に衝突することに起因する音の発生を抑えることが出来ると共に、遊技球貯留皿から排出された遊技球が球箱や球箱内に貯留された遊技球と衝突して飛び跳ねることにより、球箱の外にこぼれでることを回避することが出来、更に、遊技球貯留皿の下方に置かれた球箱の移動を容易にすることが出来る、新規な構造のパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いは、それらの記載から当業者が把握することが出来る発明思想に基づいて認識されるものであることが理解されるべきである。
【００１０】
本発明の第一の態様は、遊技球を払い出す払出手段と、遊技球貯留皿とを備えたパチンコ機において、前記払出手段によって払い出された遊技球を貯留すると共に、遊技者が開閉操作可能なシャッター部材と該シャッター部材により開閉される下方に開口する球抜口とを備えた可動皿部材と、パチンコ機本体に固定されており、該可動皿部材を上下方向にスライド可能に支持する皿本体と、該可動皿部材を該皿本体に対して上方に向けて付勢して該可動皿部材に加わる遊技球の重さによって該可動部皿部材が該皿本体に対して下方へ変位することを許容する付勢手段とを含んで前記遊技球貯留皿が構成されているを、特徴とする。
【００１１】
このような本態様に従う構造とされたパチンコ機においては、パチンコ機本体に固定された皿本体に対して上下方向にスライド可能に配された可動皿部材が、付勢手段によって、上方に向けて付勢されていることから、払出手段によって払い出されて、遊技球貯留皿を構成する皿本体と可動皿部材によって貯留される遊技球の数が増えると、可動皿部材が遊技球の重さによって付勢手段の付勢力に抗して下方に変位せしめられることとなる。即ち、本態様の付勢手段は、作用せしめられる遊技球の重量に応じて弾性変形して、可動皿部材を下降変位せしめる付勢特性を有している。
【００１２】
これにより、可動皿部材に形成された球抜口を開閉するシャッター部材が下方に向けて変位せしめられることとなる。その結果、遊技球貯留皿の下方に配される球箱とシャッター部材との離隔距離を短くすることが可能となり、球抜口から排出された遊技球が球箱へ落下する距離を短くすることが可能となる。
【００１３】
従って、本態様においては、遊技球貯留皿から排出された遊技球が球箱や球箱内に貯留された遊技球に衝突することに起因する音の発生を抑えることが可能になると共に、遊技球貯留皿から排出された遊技球が球箱や球箱内に貯留された遊技球と衝突して飛び跳ねることにより、球箱の外にこぼれ出ることを回避することが可能となる。
【００１４】
特に、本態様においては、可動皿部材（球抜口を開閉するシャッター部材）の下方への変位が皿本体と可動皿部材によって貯留されている遊技球の重さを利用することで行われるようになっていることから、可動皿部材（球抜口を開閉するシャッター部材）の下方への変位に際して、遊技者が特別な操作を行う必要がないようにすることが可能となる。
【００１５】
また、本態様においては、球抜口から球箱に向けて遊技球が排出されて移行せしめられて、皿本体と可動皿部材によって貯留されている遊技球の数が少なくなると、可動皿部材が付勢手段の付勢力によって上方に変位せしめられることとなる。その結果、球箱の抜き出し等の操作に際して、可動皿部材が下方に変位したままとなって邪魔になることが回避される。これにより、遊技者が特別な操作を行わなくても、可動皿部材が球箱や球箱に貯留された遊技球と干渉しないようにすることが可能となる。その結果、遊技球貯留皿の下方に配された球箱の移動を容易にすることが可能となる。
【００１６】
本発明の第二の態様は、前記第一の態様に係るパチンコ機において、前記可動皿部材の左右両側において該可動皿部材を前記皿本体に対して上下方向に案内するガイド手段を設けたことを、特徴とする。このような本態様に従う構造とされたパチンコ機においては、可動皿部材が皿本体に対して上下方向へスライドする際にガイド手段によって案内されるようになっていることから、可動皿部材の上下方向へのスライドを安定させることが可能となる。
【００１７】
また、ガイド手段が可動皿部材の左右両側に設けられていることから、可動皿部材と皿本体の前方側（遊技者側）への突出量を少なくすることが可能となる。
【００１８】
本発明の第三の態様は、前記第一又は第二の態様に係るパチンコ機において、前記付勢手段が前記可動皿部材の左右両側に設けられていることを、特徴とする。このような本態様に従う構造とされたパチンコ機においては、付勢手段によって可動皿部材に及ぼされる付勢力を適当に設定することで、可動皿部材に対して及ぼされる付勢手段による付勢力を、可動皿部材の左右両側でバランス良くすることが可能となり、それによって、可動皿部材の上下方向へのスライドを安定させることが可能となる。
【００１９】
また、付勢手段が左右両側に設けられていることから、可動皿部材と皿本体の前方側（遊技者側）への突出量を少なくすることが可能となる。
【発明の効果】
【００２０】
上述の説明から明らかなように、本発明に従う構造とされたパチンコ機においては、遊技球貯留皿が付勢手段の付勢力によって上側に向かって付勢されていることから、皿本体と可動皿部材によって貯留されている遊技球の数が増えると、遊技球の重さで可動皿部材が下降され得ることとなる。これにより、遊技球貯留皿から排出された遊技球が球箱や球箱内に貯留された遊技球に衝突することに起因する音の発生を抑えることが可能になると共に、遊技球貯留皿から排出された遊技球が球箱や球箱内に貯留された遊技球と衝突して飛び跳ねることにより、球箱の外にこぼれでることを回避することが可能となる。
また、皿本体と可動皿部材によって貯留されている遊技球の数が少なくなると、可動皿部材が付勢手段の付勢力によって上方に変位せしめられることとなる。これにより、例えば、球抜口から遊技球が排出された後で球抜口の下方に配された球箱を移動させる際において、遊技者が特別な作業を行わなくても、可動皿部材が球箱や球箱に貯留された遊技球と干渉しないようにすることが可能となる。その結果、遊技球貯留皿の下方に配された球箱の移動を容易にすることが可能となる。
【発明を実施するための最良の形態】
【００２１】
以下、本発明を更に具体的に明らかにするために、本発明の実施形態について、図面を参照しつつ、詳細に説明する。
【００２２】
図１及び図２には、本発明の一実施形態としてのパチンコ機１０が示されている。このパチンコ機１０は、機体の外郭を為す外枠１２に対してパチンコ機本体としての中枠１４が開閉可能に組み付けられた構造とされている。この中枠１４には、ガラス扉１６が開閉可能に取り付けられており、かかるガラス扉１６によって支持されたガラス板１８を通じて中枠１４に固定された遊技盤（図示せず）に形成されている遊技領域（図示せず）が遊技者に視認可能とされている。そして、遊技者が中枠１４に突設された操作ハンドル２０に対して回動可能に装着された操作レバー２２を回動操作することにより、ガラス扉１６の下方に設けられた上皿２４に貯留されている遊技球が遊技領域に向けて発射されるようになっている。
【００２３】
このようにして、遊技領域に向けて発射された遊技球は、遊技領域に設けられた遊技釘（図示せず）に当たりながら遊技領域を流下してゆく。その際、遊技領域に設けられた入賞装置（図示せず）に遊技球が入ると、中枠１４の裏側に配された払出手段としての賞球払出機構２６によって賞球（遊技球）が払い出されるようになっている。なお、この賞球払出機構２６は、スクリューをステッピングモータによって回転せしめることで遊技球が貯留される賞球タンク２８に接続された賞球レール３０内にある遊技球を払い出す構造とされており、従来から公知のものであるから、その詳細な説明は省略する。そして、賞球払出機構２６によって払い出された賞球は、上皿２４に貯留されるようになっている。
【００２４】
また、中枠１４には、上皿２４が満杯になった場合に賞球払出機構２６によって払い出された賞球が貯留される遊技球貯留皿としての下皿３２が上皿２４の下方に設けられている。この下皿３２は、図３及び図４に示されているように、中枠１４に固定された皿本体３４に対して上下方向にスライド可能に可動皿部材３６が配された構造とされている。
【００２５】
より詳細には、皿本体３４は、中枠１４の横幅方向（左右方向）に所定の間隔を開けて対向位置せしめられた一対の突出体３８，３８によって構成されている。各突出体３８には、対向位置せしめられた突出体３８の側に向かって突出する突出壁４０がコ字状断面で対向方向に延びるように形成されている。
【００２６】
また、各突出体３８には、パチンコ機１０の奥行方向（中枠１４の奥行方向）に適当な間隔を開けて複数（本実施形態では、二つ）の張出片４２が設けられている。そこにおいて、本実施形態では、これら張出片４２は、何れも、パチンコ機１０の上下方向（中枠１４の上下方向）における下方の側に設けられている。
【００２７】
更にまた、各張出片４２には、パチンコ機１０の上下方向（中枠１４の上下方向）に延びるガイドロッド４４が上方に突出するように設けられている。
【００２８】
一方、可動皿部材３６は、底壁部４６と、前壁部４８と、一対の側壁部５０，５０とを備えた構造とされている。底壁部４６は、上底壁５２と下底壁５４によって構成されており、これら上下の底壁５２，５４には、対応する位置において、それぞれ、板厚方向に貫通する貫通孔５６，５８が形成されている。
【００２９】
また、上底壁５２と下底壁５４の対向面間には、両底壁５２，５４に形成された貫通孔５６，５８を覆蓋する位置において、シャッター部材６０が配されており、かかるシャッター部材６０には、一端が下底壁５４に固定されているコイルスプリング（図示せず）の他端が固定されている。これにより、シャッター部材６０が両底壁５２，５４に形成された貫通孔５６，５８を開放する方向に操作された際において、コイルスプリングの復帰力がシャッター部材６０に及ぼされるようになっている。その結果、シャッター部材６０を、元の位置、即ち、両底壁５２，５４に形成された貫通孔５６，５８を覆蓋する位置に返戻作動せしめることが可能となっている。このことから明らかなように、本実施形態では、貫通孔５６，５８によって球抜口が構成されている。
【００３０】
なお、上述の如く、シャッター部材６０が配された状態において、シャッター部材６０に設けられた操作片６４は、前壁部４８の手前側に位置せしめられるようになっている。これにより、遊技者が操作片６４を持ってシャッター部材６０を開操作出来るようになっている。
【００３１】
また、各側壁部５０には、対向方向の外側（対向位置せしめられた側壁部５０が位置する側とは反対側）に向かって突出する突出片６６が、各側壁部５０の奥行方向に適当な間隔を開けて複数（本実施形態では、二つ）設けられている。そこにおいて、本実施形態では、これらの突出片６６は、何れも、パチンコ機１０の上下方向（中枠１４の上下方向）における上方の側に設けられている。また、各突出片６６には、板厚方向に貫通するガイド孔６８が形成されている。
【００３２】
このような構造とされた可動皿部材３６は、各側壁部５０に設けられた突出片６６，６６が、各突出壁４０に形成された切欠部７０に挿通された後、ガイド孔６８がガイドロッド４４に挿通されることで、皿本体３４に対して上下方向にスライド可能な状態で組み付けられるようになっている。即ち、本実施形態では、ガイド孔６８が形成された突出片６６が、ガイドロッド４４に沿ってスライドせしめられることで、可動皿部材３６が皿本体３４に対して上下方向にスライドせしめられるようになっているのである。このことから明らかなように、本実施形態では、ガイド孔６８が形成された突出片６６とガイドロッド４４によってガイド手段が構成されていると共に、かかるガイド手段が可動皿部材３６の左右両側に二つずつ設けられているのである。
【００３３】
また、上述の如く、可動皿部材３６が皿本体３４に対して組み付けられた状態において、可動皿部材３６における底壁部４６に形成された貫通孔５６，５８は、何れも、下方に向って開口するようになっている。即ち、本実施形態では、球抜口が下方に開口するようになっているのである。
【００３４】
さらに、上述の如く、可動皿部材３６が皿本体３４に組み付けられた状態で、中枠１４において可動皿部材３６の前壁部４８と対向位置せしめられた部分には、排出口７１が形成されている。そして、かかる排出口７１から賞球払出機構２６によって払い出された賞球が下皿３２内に誘導されてくるようになっている。
【００３５】
更にまた、上述の如く、可動皿部材３６が皿本体３４に対して組み付けられた状態において、突出片６６と張出片４２の各対向面間には、付勢手段としての圧縮コイルスプリング７２が、ガイドロッド４４に挿通された状態で配されている。即ち、本実施形態では、可動皿部材３６の左右方向両側において、圧縮コイルスプリング７２が二つずつ設けられているのである。
【００３６】
そして、上述の如く、圧縮コイルスプリング７２が配されていることにより、可動皿部材３６が下方に変位せしめられた際に、圧縮コイルスプリング７２の付勢力が可動皿部材３６に対して上方に向かって及ぼされるようになっている。
【００３７】
そこにおいて、本実施形態では、何れの圧縮コイルスプリング７２も同じばね定数を有するように設定されている。また、本実施形態では、遊技球が貯留されていない状態において、可動皿部材３６の上端面と各突出体３８の上端面が面一となるように、各圧縮コイルスプリング７２のばね定数が設定されている。なお、かかる可動皿部材３６の上端位置への位置決めは、例えば圧縮コイルスプリング７２のばね定数を充分に大きくすると共に、可動皿部材３６が上端部の位置で当接せしめられる当接部を突出体３８の内面に設けること等によって構成されるストッパ機構で行うことも可能である。このようなストッパ機構を採用することで、一層確実に且つ精度良く、空状態の可動皿部材３６の上端面と各突出体３８の上端面が面一となるように調節することが出来、例えば非遊技状態におけるパチンコ機１０の外観を良好として遊技者を惹き付ける効果が高まる。
【００３８】
このような構造とされたパチンコ機１０においては、遊技ホールに設けられた設置島に設置されるようになっている。そして、パチンコ機１０が設置島に設置された状態において、図５に示されているように、設置島に設けられたテーブル７４と下皿３２の間には、上下方向において、球箱７６が置ける程度の隙間が形成されるようになっている。
【００３９】
そこにおいて、賞球払出機構２６によって払い出されてきた賞球（遊技球）７８が下皿３２に貯留されると、図６に示されているように、可動皿部材３６が遊技球７８の重さによって下方に変位せしめられるようになっている。なお、図面上では必ずしも明らかではないが、本実施形態では、中枠１４の前面が外枠１２の前面よりも遊技者側に突出位置せしめられており、それによって、テーブル７４に球箱７６が置かれた状態で、可動皿部材３６の全体が球箱７６の底面の上方に位置せしめられるようになっている。その結果、図６に示されているように、可動皿部材３６は、球箱７６内に入り込むようにして、下方に変位せしめられるようになっている。また、可動皿部材３６が圧縮コイルスプリング７２の付勢力に抗して下方にスライド変位せしめられる際の変位量は、特に限定されるものではなく、例えば、可動皿部材３６の底壁部４６が球箱７６の底壁に当接するまで可動皿部材３６が下方に変位せしめられるようになっていても良いし、或いは、可動皿部材３６の底壁部４６と球箱７６の底壁との間に隙間が形成される程度に可動皿部材３６が下方に変位せしめられるようになっていても良い。
【００４０】
そして、上述の如く、可動皿部材３６が遊技球７８の重さによって下方に変位せしめられることにより、テーブル７４の上に置かれた球箱７６の底壁と可動皿部材３６における底壁部４６との距離、即ち、球箱７６の底壁とシャッター部材６０と離隔距離を短くすることが可能となり、その結果、可動皿部材３６における底壁部４６に形成された貫通孔５６，５８から排出される遊技球７８の落下距離を短くすることが可能となる。
【００４１】
従って、上述の如く、可動皿部材３６における底壁部４６が球箱７６の底壁に近づいた状態で遊技者がシャッター部材６０を開操作すると、可動皿部材３６における底壁部４６に形成された貫通孔５６，５８から排出される遊技球７８が球箱７６や球箱７６に貯留された遊技球に衝突することによって発生する音を小さくすることが可能となる。また、排出された遊技球７８が球箱７６や球箱７６に貯留された遊技球に当たって飛び跳ねることにより、球箱７６からこぼれ出ないようにすることも可能となる。
【００４２】
更にまた、遊技球７８の重さによって可動皿部材３６が排出口７１と相対的に下方に変位せしめられるようになっていることから、下皿３２の容量を実質的に大きくすることも可能となる。これにより、より多くの遊技球を下皿３２に貯留することが可能となる。その結果、例えば、下皿３２が満杯になった際に遊技球の発射を停止するようなパチンコ機において、遊技球の発射が停止されるまでの間において遊技者に余裕をもたせることが可能となる。このような効果は、例えば下皿３２の全体を上下方向に変位させる構造では発揮され得ない、格別の効果である。
【００４３】
さらに、可動皿部材３６は、空の状態で上方に位置せしめられることで、遊技機における遊技球の排出口７１から可動皿部材３６の上底壁５２までの高さ寸法が小さくされる。これにより、排出口７１から排出された遊技球が上底壁５２に打ち当たることで発生する打音を抑えることが出来ると共に、遊技球が上底壁５２に打ち当たった後に跳ね返ってしまうことも防止できる。
【００４４】
一方、上述の如く、遊技球７８が排出されると、可動皿部材３６は、圧縮コイルスプリング７２の付勢力によって、初期位置（図５に示した位置）に戻るようになっている。これにより、遊技球７８を排出した後で下皿３２の下方に配された球箱７６を移動させようとした際に、可動皿部材３６が球箱７６に引っ掛かる等の不具合を回避することが可能となる。その結果、下皿３２の下方に配された球箱７６を遊技球が排出された後で容易に移動させることが可能となる。
【００４５】
また、本実施形態では、突出片６６がガイドロッド４４によって案内されて、ガイドロッド４４の軸方向に変位せしめられるようになっていることから、可動皿部材３６の上下方向の変位を安定させることが可能となる。
【００４６】
さらに、本実施形態では、可動皿部材３６の左右両側にガイド手段４４，４６が設けられていることから、切欠部７０の設定が容易となり、可動皿部材３６の前面側（遊技者側）への着脱構成を容易に実現することが可能となる。
【００４７】
更にまた、本実施形態では、可動皿部材３６の左右両側に圧縮コイルスプリング７２が配されていることから、圧縮コイルスプリング７２のばね定数を適当に設定することによって、可動皿部材３６に及ぼされる圧縮コイルスプリング７２の付勢力を可動皿部材３６の左右両側でバランス良くすることが可能となり、それによって、可動皿部材３６の上下方向への変位を安定させることが可能となる。また、切欠部７０の設定が容易となり、可動皿部材３６の前面側（遊技者側への着脱構成を容易に実現することが可能となる。
【００４８】
また、本実施形態では、パチンコ機１０の奥行方向で適当な間隔をあけて二つのガイド手段４４，６６が設けられていることから、ガイド手段４４，６６による案内作用を有利に確保することが可能となる。これにより、可動皿部材３６の上下方向への変位を一層安定させることが可能となる。
【００４９】
更にまた、本実施形態では、切欠部７０が設けられていることから、可動皿部材３６の着脱が前面側から容易に行い得ることとなり、その結果、メンテナンスを容易にすることが可能となる。
【００５０】
以上、本発明の一実施形態について詳述してきたが、本発明は、かかる実施形態における具体的な記載によって、何等、限定的に解釈されるものではない。
【００５１】
例えば、前記実施形態では、パチンコ機１０の奥行方向で二つの圧縮コイルスプリング７２が配されていたが、パチンコ機１０の奥行方向で三つ以上の圧縮コイルスプリング７２が配されるようにしても良いし、或いは、一つの圧縮コイルスプリング７２が配されるようにしても良い。
【００５２】
また、前記実施形態では、パチンコ機１０の奥行方向で配された二つの圧縮コイルスプリング７２，７２のばね定数は互いに同じとされていたが、パチンコ機１０の奥行方向で配された二つの圧縮コイルスプリング７２，７２のばね定数を互いに異なるようにしても良い。
【００５３】
更にまた、可動皿部材３６の位置を、その上下方向での可動範囲内の任意の乃至は適当な位置で、遊技者が固定できるようにしても良い。かかる固定手段は、押しボタン式のピンを設けて可動皿部材３６を突出体３８，３８に係止させたり、摩擦式のストッパを設けたり等の各種構造で容易に実現可能である。
【００５４】
さらに、前記実施形態では、中枠１４の前面が外枠１２の前面よりも遊技者側に突出位置せしめられていることから、可動皿部材３６の全体が、球箱７６の開口部から中に入り込むようにして、下方に変位せしめられるようになっていたが、例えば、パチンコ機本体の前面から突出して形成された皿本体のうち、その突出方向の中央部分だけが下方に突出するようにして変位せしめられる可動皿部材とされており、それによって、皿本体の下方に位置せしめた球箱の開口部から中に入り込むようにして、可動皿部材が下方に変位せしめられるようにしても良い。
また、例えば、中枠１４の前面に至る部分まで、或いは中枠１４の前面に入り込む部分までを、可動皿部材３６で構成する態様を採用した場合に、可動皿部材３６が下方に変位した際に球箱７６の周壁上端部に当接してそれ以上は下がらないようになっていても良い。このような態様であっても、本発明の作用効果は有効に発揮される。即ち、可動皿部材３６が上方に位置せしめられた空の状態では、テーブル７４の天面から可動皿部材３６の裏面に至る距離を充分に大きくとって、テーブル７４上への球箱７６の差し入れや抜き出しの際の操作性を一層向上させることが出来る。一方、可動皿部材３６を球箱７６の開口部付近まで下降させることで、下皿３２のシャッター部材６０から球箱７６の底面にまで至る距離、即ち、下皿３２の貫通孔５６，５８から球箱７６の底面にまで至る距離を出来るだけ小さくして、遊技球が球箱７６の底面に打ち当たる際の音や衝撃を軽減することが出来るのである。
【００５５】
また、前記実施形態では、下皿３２に対して本発明を適用したものの一具体例が示されていたが、例えば、下皿（上皿から溢れた球を受ける溢れ球貯留皿）が設けられておらず、上皿（発射球貯留皿）のみが設けられているようなパチンコ機に対しても、本発明を適用することは、勿論可能である。
【００５６】
更にまた、前記実施形態において、少なくとも前壁部４８を、好ましくは前壁部４８及び両側壁部５０，５０を、皿本体３４側に設けるようにしても良い。即ち、皿本体を枠状にすると共に、かかる枠状の皿本体内で上側に開口する箱状の可動皿部材を上下方向にスライド可能に設けるようにしても良い。これにより、下皿３２の容積を増やすことが可能となる。
【００５７】
その他、一々列挙はしないが、本発明は、当業者の知識に基づいて種々なる変更、修正、改良等を加えた態様において実施されうるものであり、また、そのような実施態様が本発明の趣旨を逸脱しない限り、何れも、本発明の範囲内に含まれるものであることは、言うまでもない。
【図面の簡単な説明】
【００５８】
【図１】本発明の一実施形態としてのパチンコ機を示す斜視図であって、パチンコ機の正面側を示す斜視図である。
【図２】本発明の一実施形態としてのパチンコ機を示す斜視図であって、パチンコ機の裏側を示す斜視図である。
【図３】図１に示されたパチンコ機における下皿のみを示す平面図である。
【図４】図３におけるＩＶ−ＩＶ断面図である。
【図５】遊技球が貯留されていない状態での下皿と球箱の位置関係を説明するための断面図であって、図３におけるＩＶ−ＩＶ方向に相当する断面図である。
【図６】遊技球が貯留されている状態での下皿と球箱の位置関係を説明するための断面図であって、図３におけるＩＶ−ＩＶ方向に相当する断面図である。
【符号の説明】
【００５９】
１０  パチンコ機
１４  中枠
２６  賞球払出機構
３２  下皿
３４  皿本体
３６  可動皿部材
５６  貫通孔
５８  貫通孔
６０  シャッター部材
７２  圧縮コイルスプリング
【図１】
0004810929.tif 000002
【図２】
0004810929.tif 000003
【図３】
0004810929.tif 000004
【図４】
0004810929.tif 000005
【図５】
0004810929.tif 000006
【図６】
0004810929.tif 000007